(57)【要約】【課題】読影者が読影対象画像を読影した場合の読影結果の信頼度を予測すること。【解決手段】実施形態に係る読影支援装置は、取得部と、予測部とを備える。取得部は、読影者の読影スキル情報と、読影対象画像の属性情報と、当該読影対象画像から画像処理により抽出された画像特徴量と、を取得する。予測部は、読影者の読影スキル情報と、読影対象画像の属性情報と、読影対象画像の画像特徴量と、にもとづいて、読影者が読影対象画像を読影した場合の読影結果の信頼度の予測値を生成する。【選択図】  図２
2020190913.tif 000002
【特許請求の範囲】
【請求項１】
読影者の読影スキル情報と、読影対象画像の属性情報と、当該読影対象画像から画像処理により抽出された画像特徴量と、を取得する取得部と、
前記読影者の前記読影スキル情報と、前記読影対象画像の属性情報と、前記読影対象画像の画像特徴量と、にもとづいて、前記読影者が前記読影対象画像を読影した場合の読影結果の信頼度の予測値を生成する予測部と、
を備えた読影支援装置。
【請求項２】
前記予測部により生成された予測値にもとづいて読影支援情報をユーザに提示する提示部、
をさらに備えた請求項１記載の読影支援装置。
【請求項３】
前記予測部は、
複数の読影対象画像のそれぞれについて、前記読影者が読影した場合の読影結果の信頼度の前記予測値を生成し、
前記提示部は、
前記複数の読影対象画像のそれぞれに対応する前記予測値にもとづいて、前記読影者に読影を担当するよう推薦する読影対象画像をユーザに提示する、
請求項２記載の読影支援装置。
【請求項４】
前記予測部は、
複数の読影者のそれぞれについて、前記読影対象画像を読影した場合の読影結果の信頼度の前記予測値を生成し、
前記提示部は、
前記複数の読影者のそれぞれに対応する前記予測値にもとづいて、前記読影対象画像の読影を担当するよう推薦する読影者をユーザに提示する、
請求項２または３に記載の読影支援装置。
【請求項５】
前記提示部は、
複数の読影者を推薦するとともに、読影を依頼した読影者の前記予測値の合計値が閾値を越えると、読影者の提示を終了する、
請求項４記載の読影支援装置。
【請求項６】
前記提示部は、
複数の読影者を推薦するとともに、読影を依頼した読影者の前記予測値を１から減じた値どうしを乗じた値が閾値以下となると、読影者の提示を終了する、
請求項４記載の読影支援装置。
【請求項７】
前記予測部は、
前記読影者の前記読影スキル情報と、前記読影対象画像の属性情報と、前記読影対象画像の画像特徴量と、にもとづいて、前記読影者が前記読影対象画像を読影した場合の読影結果の信頼度の前記予測値を生成する学習済みモデルに対して、前記読影スキル情報、前記読影対象画像の属性情報、および前記読影対象画像の画像特徴量を入力することで前記予測値を生成する、
請求項１ないし６のいずれか１項に記載の読影支援装置。
【請求項８】
前記学習済みモデルは、
学習用データと教師データからなるトレーニングデータセットであって、読影済み読影者の読影スキル情報と、前記読影済み読影者の読影済み画像の属性情報と、当該読影済み画像の画像特徴量と、を前記学習用データとし、前記読影済み画像の前記読影済み読影者の読影結果と確定診断結果とにもとづいて得られた前記読影済み読影者の読影結果の信頼度を前記教師データとするトレーニングデータセット、を用いて学習を行ったモデルである、
請求項７記載の読影支援装置。
【請求項９】
読影装置の読影スキル情報と、読影対象画像の属性情報と、当該読影対象画像から画像処理により抽出された画像特徴量と、を取得する取得部と、
前記読影装置の前記読影スキル情報と、前記読影対象画像の属性情報と、前記読影対象画像の画像特徴量と、にもとづいて、前記読影装置が前記読影対象画像を読影した場合の読影結果の信頼度の予測値を生成する予測部と、
を備えた読影支援装置。
【請求項１０】
読影者の読影スキル情報と、読影対象画像の属性情報と、当該読影対象画像から画像処理により抽出された画像特徴量と、にもとづいて、前記読影者が前記読影対象画像を読影した場合の読影結果の信頼度の予測値を生成するステップと、
前記予測値をユーザに提示するステップと、
を有する読影支援方法。
【請求項１１】
読影装置の読影スキル情報と、読影対象画像の属性情報と、当該読影対象画像から画像処理により抽出された画像特徴量と、にもとづいて、前記読影装置が前記読影対象画像を読影した場合の読影結果の信頼度の予測値を生成するステップと、
前記予測値をユーザに提示するステップと、
を有する読影支援方法。
【発明の詳細な説明】
【技術分野】
【０００１】
本発明の実施形態は、読影支援装置および読影支援方法に関する。
【背景技術】
【０００２】
一般に、モダリティによって撮影された被検体の医用画像から得られる情報は、読影者（読影者）によって、たとえば読影レポートとして記載される。読影レポートは、医用画像から読影者が認識、発見した事象や現象を記載する所見と呼ばれる記載内容と、所見にもとづいて疑われる病気の指摘などを行う診断と呼ばれる記載内容とを含む。
【０００３】
読影レポートの作成を読影者に依頼するユーザ（以下、読影依頼者という）は、複数の読影者から医用画像の読影に適した読影者に読影レポートの作成を依頼（オーダ）する。読影者は、このオーダに応じて医用画像の読影レポートを作成する。
【０００４】
読影対象となる医用画像（以下、読影対象画像という）の読影は、当該読影対象画像を撮影したモダリティや部位などに応じて、当該読影対象画像の読影が得意であると考えられる読影者に依頼することが好ましい。
【先行技術文献】
【特許文献】
【０００５】
【特許文献１】特開２００９−０７８０８２号公報
【非特許文献】
【０００６】
【非特許文献１】クリストファー  Ｍ.  ビショップ（Christopher M. Bishop）著、「パターン認識と機械学習（上）（Pattern recognition and machine learning）」、（米国）、第１版、スプリンガー（Springer）、２００６年、Ｐ．２２５−２９０
【発明の概要】
【発明が解決しようとする課題】
【０００７】
本発明が解決しようとする課題は、読影者が読影対象画像を読影した場合の読影結果の信頼度を予測することである。
【課題を解決するための手段】
【０００８】
実施形態に係る読影支援装置は、取得部と、予測部とを備える。取得部は、読影者の読影スキル情報と、読影対象画像の属性情報と、当該読影対象画像から画像処理により抽出された画像特徴量と、を取得する。予測部は、読影者の読影スキル情報と、読影対象画像の属性情報と、読影対象画像の画像特徴量と、にもとづいて、読影者が読影対象画像を読影した場合の読影結果の信頼度の予測値を生成する。
【図面の簡単な説明】
【０００９】
【図１】一実施形態に係る読影支援装置を含む読影支援システムの一例を示すブロック図。
【図２】読影支援装置の一構成例を示すブロック図。
【図３】予測機能の学習時におけるデータフローの一例を示す説明図。
【図４】予測機能の運用時におけるデータフローの一例を示す説明図。
【図５】提示機能により予測値にもとづいて読影依頼者に提示される読影支援情報の第１例を示す説明図。
【図６】提示機能により予測値にもとづいて読影依頼者に提示される読影支援情報の第２例を示す説明図。
【図７】図６に示す読影支援情報の第２例の変形例の提示方法を説明するための図。
【図８】図１に示す読影支援システムの変形例を示すブロック図。
【発明を実施するための形態】
【００１０】
以下、図面を参照しながら、読影支援装置および読影支援方法の実施形態について詳細に説明する。
【００１１】
図１は、一実施形態に係る読影支援装置１０を含む読影支援システム１の一例を示すブロック図である。
【００１２】
読影支援システム１は、読影支援装置１０を含むほか、複数のモダリティ２１、２２と、画像サーバ２３と、複数の読影端末３０Ａ、３０Ｂ、・・・、３０Ｎとを含む。
【００１３】
モダリティ２１、２２は、たとえば超音波診断装置、Ｘ線ＣＴ（Computed Tomography）装置、ＭＲＩ（Magnetic Resonance Imaging）装置、核医学診断装置等により構成される。モダリティ２１、２２は、画像サーバ２３および読影支援装置１０と、ネットワークを介して、または有線で直接に、互いにデータ送受信可能に接続される。ここでネットワークとは、電気通信技術を利用した情報通信網全般を意味し、病院基幹ＬＡＮ（Local Area Network）などの無線／有線ＬＡＮやインターネット網のほか、電話通信回線網、光ファイバ通信ネットワーク、ケーブル通信ネットワークおよび衛星通信ネットワークなどを含む。
【００１４】
なお、図１には読影支援システム１が２つのモダリティ２１、２２を含む場合の例を示したが、読影支援システム１が含むモダリティの数に制限はない。また、読影支援システム１が含むモダリティの設置位置に制限はない。たとえばモダリティ２１、２２の少なくとも一方は、読影支援装置１０の遠隔地の病院内に設置されてもよい。
【００１５】
画像サーバ２３は、モダリティで撮影された医用画像を、ネットワークを介して保存、読み出しする機能を提供する。画像サーバ２３は、モダリティ２１、２２および読影支援装置１０と、ネットワークを介して、または有線で直接に、互いにデータ送受信可能に接続される。
【００１６】
モダリティ２１、２２から出力される医用画像および画像サーバ２３に記憶される医用画像には、医用画像の属性情報が関連付けられる。また、モダリティ２１、２２から出力される医用画像および画像サーバ２３に記憶される医用画像の少なくとも一方には、医用画像の画像特徴量の情報が関連付けられるとよい。
【００１７】
医用画像の属性情報は、医用画像の撮影部位、読影対象部位、医用画像の撮影を行ったモダリティ、撮影条件などの情報を含む。医用画像の画像特徴量は、画像処理により医用画像から抽出された特徴量である。画像特徴量の種別としては、たとえば輝度分布、エッジ、ＨＯＧ（Histograms of Oriented Gradients）、テクスチャ、大きさ、形状など、従来各種のものが知られており、これらのうち任意のものを利用することが可能である。
【００１８】
読影端末３０Ａ、３０Ｂ、・・・、３０Ｎは、たとえばパーソナルコンピュータやワークステーションなどの一般的な情報処理装置により構成される。読影端末３０Ａ、３０Ｂ、・・・、３０Ｎは、それぞれ読影者Ａ、Ｂ、・・・、Ｎにより利用される。なお、モダリティ同様、読影支援システム１が含む読影端末の数および読影端末の設置位置に制限はない。読影端末３０Ａ、３０Ｂ、・・・、３０Ｎは、読影支援装置１０と、ネットワークを介して、または有線で直接に、互いにデータ送受信可能に接続される。
【００１９】
図２は、読影支援装置１０の一構成例を示すブロック図である。図２に示すように、読影支援装置１０は、たとえばパーソナルコンピュータやワークステーションなどの一般的な情報処理装置により構成され、入力インターフェース１１、ディスプレイ１２、記憶回路１３、ネットワーク接続回路１４、および処理回路１５を有する。
【００２０】
読影支援装置１０は、読影対象画像（読影対象となる医用画像）の読影を読影者に依頼する読影依頼者により利用される。読影依頼者は、読影支援装置１０を利用して、読影対象画像の読影に適した読影者に当該読影対象画像の読影を依頼する。
【００２１】
読影支援装置１０の入力インターフェース１１は、たとえばトラックボール、スイッチボタン、マウス、キーボード、テンキーなどの一般的な入力装置により構成され、ユーザの操作に対応した操作入力信号を処理回路１５に出力する。ディスプレイ１２は、たとえば液晶ディスプレイやＯＬＥＤ（Organic Light Emitting Diode）ディスプレイなどの一般的な表示出力装置により構成される。
【００２２】
記憶回路１３は、たとえば、ＲＡＭ（Ｒａｎｄｏｍ  Ａｃｃｅｓｓ  Ｍｅｍｏｒｙ）、フラッシュメモリ等の半導体メモリ素子、ハードディスク、光ディスク等の、プロセッサにより読み取り可能な記録媒体を含んだ構成を有し、処理回路１５が利用するプログラムやパラメータデータやその他のデータを記憶する。なお、記憶回路１３の記録媒体内のプログラムおよびデータの一部または全部は、ネットワークを介した通信によりダウンロードされてもよいし、光ディスクなどの可搬型記憶媒体を介して記憶回路１３に与えられてもよい。
【００２３】
また、記憶回路１３は、読影者Ａ、Ｂ、・・・、Ｎのそれぞれの読影スキルを記憶してもよい。読影スキルは、読影者の読影経験年数、読影経験回数、専門診療科、専門部位などの情報を含む。読影者Ａ、Ｂ、・・・、Ｎのそれぞれの読影スキルは、読影支援装置１０とネットワークを介して接続された外部のデータベースであって処理回路１５のプロセッサにより読み取り可能な外部のデータベースに記憶されてもよい。
【００２４】
ネットワーク接続回路１４は、ネットワークの形態に応じた種々の情報通信用プロトコルを実装する。ネットワーク接続回路１４は、この各種プロトコルに従ってネットワークを介して他の電気機器と接続する。
【００２５】
処理回路１５は、読影支援装置１０を統括制御する機能を実現する。また、処理回路１５は、記憶回路１３に記憶された読影支援プログラムを読み出して実行することにより、読影者が読影対象画像を読影した場合の読影結果の信頼度を予測するための処理を実行するプロセッサである。
【００２６】
従来、遠隔地の病院や中小規模の病院など、読影者が不足または不在の病院に対し、読影を支援するためのシステムが開発されてきた。しかし、従来の技術では、読影者の読影スキルに応じて読影者と読影対象画像とをマッチングすることについて、考慮されていない。
【００２７】
そこで、処理回路１５のプロセッサは、読影者が読影対象画像を読影した場合の読影結果の信頼度を予測するため、整理機能１５１、抽出機能１５２、取得機能１５３、予測機能１５４、提示機能１５５、および依頼機能１５６を実現する。これらの各機能は、それぞれプログラムの形態で記憶回路１３に記憶されている。
【００２８】
整理機能１５１は、読影済みの医用画像（以下、読影済み画像という）の属性と読影済み画像の画像特徴量とを、読影者の読影スキルに応じて複数に分類したトレーニングデータセットを取得する。なお、読影支援装置１０は整理機能１５１を備えずともよい。読影支援装置１０が整理機能１５１を備える場合は、読影済み画像の属性と読影済み画像の画像特徴量とを、読影者の読影スキルに応じて分類されたトレーニングデータセットが利用可能となる。この場合、学習済みモデルは当該分類に応じて複数生成できる。
【００２９】
抽出機能１５２は、モダリティ２１、２２、または画像サーバ２３から読影対象画像を取得し、読影対象画像を画像処理して画像特徴量を抽出する。なお、モダリティ２１、２２から出力される医用画像および画像サーバ２３に記憶される医用画像の少なくとも一方に医用画像の画像特徴量の情報が関連付けられる場合は、読影支援装置１０は抽出機能１５２を備えずともよい。この場合、読影対象画像に関連付けられた画像特徴量を取得機能１５３がモダリティ２１、２２、または画像サーバ２３から取得すればよい。
【００３０】
取得機能１５３は、読影を依頼する候補の読影者（以下、候補読影者という）の読影スキル情報と、読影対象画像の属性情報と、当該読影対象画像から画像処理により抽出された画像特徴量と、を取得する。取得機能１５３は、取得部の一例である。
【００３１】
予測機能１５４は、候補読影者の読影スキル情報と、読影対象画像の属性情報と、読影対象画像の画像特徴量と、にもとづいて、候補読影者が読影対象画像を読影した場合の読影結果の信頼度の予測値（予測信頼度）を生成する。予測機能１５４は、予測部の一例である。
【００３２】
予測機能１５４は、候補読影者の読影スキル情報と、読影対象画像の属性情報と、読影対象画像の画像特徴量と、にもとづいて候補読影者が読影対象画像を読影した場合の読影結果の信頼度の予測値を生成する学習済みモデルに対して、候補読影者の読影スキル情報、読影対象画像の属性情報、および読影対象画像の画像特徴量を入力することで予測信頼度を生成してもよい。また、予測機能１５４は、学習済みモデルとして、ニューラルネットワーク、ロジスティック回帰、決定木、ランダムフォレスト、ＳＶＭ、ブースティング、またはそれらの組合せなどの、機械学習手法を用いてもよい。以下の説明では、予測機能１５４が学習済みモデルを用いて予測信頼度を生成する場合の例について示す。
【００３３】
提示機能１５５は、予測機能１５４により生成された予測値にもとづいて読影支援情報を読影依頼者（読影支援装置１０のユーザ）に提示する。読影支援情報としては、候補読影者と読影対象画像と予測値とを関連付けた情報、候補読影者に読影を推薦する読影対象画像の情報、読影対象画像の読影依頼を推薦する候補読影者の情報などが挙げられる。読影支援情報の提示方法としては、読影支援情報を示す画像を生成してディスプレイ１２に表示する方法や、図示しないスピーカを介して読影支援情報を示す音声を出力する方法などが挙げられる。提示機能１５５は、提示部の一例である。
【００３４】
依頼機能１５６は、予測機能１５４により生成された予測値にもとづいて、自動的に、または読影依頼者による入力インターフェースを介した指示にもとづいて、読影対象画像の読影を依頼する読影者を決定し、当該読影者に読影対象画像の読影を依頼する。
【００３５】
図３は、予測機能１５４の学習時におけるデータフローの一例を示す説明図である。予測機能１５４は、トレーニングデータセットを多数用いて深層学習を行うことにより、パラメータデータ４２を逐次的に更新する。
【００３６】
トレーニングデータセットは、学習用データと教師データとの組からなる。学習用データは、読影者の読影スキル６１と、当該読影者が読影済みの医用画像の属性６２と、当該読影済み画像の画像特徴量６３と、の組みからなる。また、教師データは、当該読影済み画像の確定診断結果にもとづいて得られた、当該読影者による当該読影済み画像の読影結果の信頼度７１により構成される。信頼度７１は、当該読影者による当該読影済み画像の確定診断と読影結果が一致していた場合は１とし、不一致である場合は０とする。あるいはＩＣＤ１０分類の診断病名の階層性などに従って、確定診断と読影結果の一致の程度に応じた０から１の間の連続的な値をとってもよい。
【００３７】
予測機能１５４は、トレーニングデータセットが与えられるごとに、学習用データをニューラルネットワーク４１で処理した結果が教師データに近づくようにパラメータデータ４２を更新していく、いわゆる学習を行う。一般に、パラメータデータ４２の変化割合が閾値以内に収束すると、学習は終了と判断される。以下、学習後のパラメータデータ４２を特に学習済みパラメータデータ４２ｔという。
【００３８】
なお、学習用データの種類と図４に示す運用時の入力データの種類は一致させるべきことに注意する。たとえば、学習用データの画像特徴量としてテクスチャの情報を用いる場合は、運用時の入力データの画像特徴量にもテクスチャの情報を用いる。
【００３９】
図４は、予測機能１５４の運用時におけるデータフローの一例を示す説明図である。運用時には、予測機能１５４は、候補読影者の読影スキル８１と、読影対象画像の属性８２と、読影対象画像の画像特徴量８３と、を入力され、学習済みモデル４０を用いて、候補読影者が読影対象画像を読影した場合の読影結果の信頼度の予測値９１を生成する。信頼度の予測値９１は、候補読影者による読影対象画像の確定診断と読影結果が一致する確率であっても良い。
【００４０】
なお、ニューラルネットワーク４１と学習済みパラメータデータ４２ｔは、学習済みモデル４０を構成する。この種の学習の方法および学習済みモデルの構築方法については、非特許文献１に開示された方法など種々の方法が知られている。ニューラルネットワーク４１は、プログラムの形態で記憶回路１３に記憶される。学習済みパラメータデータ４２ｔは、記憶回路１３に記憶されてもよいし、ネットワークを介して処理回路１５と接続された記憶媒体に記憶されてもよい。学習済みモデル４０（ニューラルネットワーク４１と学習済みパラメータデータ４２ｔ）が記憶回路１３に記憶される場合、処理回路１５のプロセッサにより実現される予測機能１５４は、記憶回路１３から学習済みモデル４０を読み出して実行することで、候補読影者の読影スキル８１と、読影対象画像の属性８２と、画像特徴量８３とにもとづいて、候補読影者が読影対象画像を読影した場合の読影結果の信頼度の予測値９１を生成する。
【００４１】
なお、学習済みモデル４０は、ＡＳＩＣ（Application Specific Integrated Circuit）、ＦＰＧＡ（Field Programmable Gate Array）などの集積回路によって構築されてもよい。
【００４２】
また、読影支援装置１０が整理機能１５１を備え、読影者の読影スキルに応じて分類されたトレーニングデータセットが利用可能な場合は、この分類ごとに学習済みモデル４０が生成される。この場合、運用時には、運用時の入力データの候補読影者の読影スキル８１が属する分類に対応する学習済みモデルを用いる。読影者の読影スキルに応じて複数の学習済みモデル４０を用意し、候補読影者の読影スキル８１に応じた学習済みモデル４０を利用することにより、より精度よく候補読影者が読影対象画像を読影した場合の読影結果の信頼度の予測値９１を生成することができる。
【００４３】
また、読影支援装置１０が整理機能１５１を備え、読影者に応じて分類したトレーニングデータセットが利用可能な場合は、読影者ごとに学習済みモデル４０が生成される。この場合は、運用時には、候補読影者の学習済みモデル４０を用いればよい。また、読影者の読影スキルに応じた分類ごとに学習済みモデル４０を生成するとともに、読影者ごとに学習済みモデル４０を生成してもよい。この場合、提示機能１５５は、両者の予測値のそれぞれにもとづいて読影支援情報を生成して読影依頼者に提示してもよいし、これらを組み合わせた最終的な予測値、たとえば両者の平均値、両者の高い方の値、または両者の低い方の値、にもとづいて読影支援情報を生成して読影依頼者に提示してもよい。
【００４４】
図５は、提示機能１５５により予測値にもとづいて読影依頼者に提示される読影支援情報の第１例を示す説明図である。
【００４５】
たとえば、読影依頼者が、１人の候補読影者Ａに対して複数の読影対象画像Ａ、Ｂ、Ｃ、・・・のうちのどの画像を読影してもらうよう依頼すべきかを決定することを考える。この場合、予測機能１５４は、学習済みモデル４０を用いて、候補読影者Ａが読影対象画像Ａ、Ｂ、Ｃ、・・・のそれぞれを読影した場合の読影結果の信頼度の予測値９１を生成する。
【００４６】
この場合、提示機能１５５は、複数の読影対象画像Ａ、Ｂ、Ｃ、・・・のそれぞれに対応する予測値にもとづいて、候補読影者Ａに読影を担当するよう推薦する読影対象画像の情報を、読影支援情報としてユーザに提示する。具体的には、提示機能１５５は、読影支援情報として、信頼度の予測値が最高の読影対象画像（図５に示す例では画像Ｂ）の情報を抽出し、この読影対象画像の情報のみ（図５下段参照）またはこの情報とリスト画像とを組み合わせた情報（図５上段のハッチング参照）を読影依頼者に提示するとよい。
【００４７】
また、読影支援情報として、信頼度の予測値が閾値以上の１または複数の読影対象画像を読影依頼者に提示してもよい。この場合、候補読影者Ａの空きスケジュールの情報や候補読影者Ａの読影に要する時間の情報などが取得できる場合は、候補読影者に読影を依頼する読影対象画像の数の上限値を当該情報にもとづいて設定してもよい。
【００４８】
図６は、提示機能１５５により予測値にもとづいて読影依頼者に提示される読影支援情報の第２例を示す説明図である。
【００４９】
たとえば、読影依頼者が、１つの読影対象画像に対して複数の候補読影者Ａ、Ｂ、Ｃ、・・・のうちのどの候補読影者に読影対象画像（図６に示す例では画像Ｂ）を読影してもらうよう依頼すべきかを決定することを考える。この場合、予測機能１５４は、学習済みモデル４０を用いて、候補読影者Ａ、Ｂ、Ｃ、・・・のそれぞれが読影対象画像Ｂを読影した場合の読影結果の信頼度の予測値９１を生成する。
【００５０】
この場合、提示機能１５５は、複数の候補読影者Ａ、Ｂ、Ｃ、・・・のそれぞれに対応する予測値にもとづいて、読影対象画像Ｂの読影を担当するよう推薦する候補読影者の情報を、読影支援情報としてユーザに提示する。具体的には、提示機能１５５は、読影支援情報として、信頼度の予測値が最高の候補読影者（図６に示す例では候補読影者Ｂ）の情報を抽出し、この候補読影者の情報のみ（図６下段参照）またはこの情報とリスト画像とを組み合わせた情報（図６上段のハッチング参照）を読影依頼者に提示するとよい。
【００５１】
図７は、図６に示す読影支援情報の第２例の変形例の提示方法を説明するための図である。図６に示す読影支援情報の第２例は、読影依頼者が、１つの読影対象画像に対して複数の候補読影者Ａ、Ｂ、Ｃ、・・・のうちの１人の候補読影者に読影対象画像を読影してもらうよう依頼する場合の例である。図７に示す変形例は、読影依頼者が、１つの読影対象画像に対して複数の候補読影者Ａ、Ｂ、Ｃ、・・・のうちの複数の候補読影者に読影対象画像を読影してもらうよう依頼する場合の例である。
【００５２】
１つの読影対象画像の読影を複数の読影者に依頼することで、１人の読影者に依頼する場合に比べ、異常箇所を見落としてしまう確率を大幅に低減することができる。そこで、たとえば提示機能１５５は、まず、候補読影者と読影対象画像と予測値とを関連付けたリスト画像を表示するとともに、信頼度の予測値が閾値（たとえば０．３以上など）の読影者を強調表示することで、読影の依頼を推薦する複数の候補読影者の提示を行う。続いて、読影依頼者が依頼機能１５６により、１つの読影対象画像の読影を依頼する読影者を１人ずつ決定していく。そして、読影依頼済みの読影者の信頼度の予測値の合計値が閾値（たとえば２．０など）を越えると、提示機能１５５は、当該読影対象画像の候補読影者の推薦を終了する。
【００５３】
同様に、読影依頼済みの読影者の予測値を１から減じた値どうしを乗じた値（図７に示す例では、（１−０．５３）×（１−０．７４）×（１−０．３６）×（１−０．５８））が閾値以下となると、提示機能１５５は、当該読影対象画像の候補読影者の推薦を終了するようにしてもよい。
【００５４】
本実施形態にかかる読影支援装置１０は、候補読影者の読影スキルと、読影対象画像の属性および画像特徴量と、にもとづいて、当該候補読影者が当該読影対象画像を読影した場合の読影結果の信頼度の予測値を生成することができる。このため、読影者の読影スキルに応じて読影者と読影対象画像とを容易かつ適切にマッチングすることができる。したがって、たとえば不特定多数の読影医に対して遠隔読影を依頼する場合であっても、信頼度の高い読影結果を得ることができる。
【００５５】
なお、依頼機能１５６が予測機能１５４により生成された予測値にもとづいて自動的に読影対象画像の読影を依頼する読影者を決定する場合は、読影支援装置１０は提示機能１５５を備えずともよい。この場合、依頼機能１５６は、読影者を自動的に決定したあと確認のための入力を読影依頼者に促してもよい。また、当該入力を不要とする場合は、読影依頼者は不在であってもよい。
【００５６】
図８は、図１に示す読影支援システム１の変形例を示すブロック図である。図８に示す読影支援システム１の変形例は、読影者Ａ、Ｂ、・・・、Ｎによりそれぞれ利用される読影端末３０Ａ、３０Ｂ、・・・、３０Ｎにかえて、自律的に動作する読影装置３５Ａ、３５Ｂ、・・・、３５Ｎを備える点で図１に示す読影支援システム１と異なる。他の構成および作用については図１に示す読影支援システム１と実質的に異ならないため、同じ構成には同一符号を付して説明を省略する。
【００５７】
読影装置３５Ａ、３５Ｂ、・・・、３５Ｎは、たとえば、互いに異なる規模の読影実施用学習済みモデルを利用可能に構成されることで、互いに異なる読影スキルを有する。
【００５８】
この場合も、読影支援装置１０は、読影装置３５Ａ、３５Ｂ、・・・、３５Ｎのそれぞれの読影スキル（得意とする部位など）の情報にもとづいて、学習済みモデル４０を用いて読影対象画像についての予測値を生成することができ、たとえば図５、図６、図７に示す例と同様の読影支援情報を提示することができる。
【００５９】
また、読影装置３５Ａ、３５Ｂ、・・・、３５Ｎが互いに異なる事業者により運営されて、読影に要する料金、読影に要する時間等、読影スキル以外の情報が異なる場合には、たとえば図５、図６、図７の上段に示すリストに対し、さらに読影に要する料金、読影に要する時間を関連付けたリストを生成し読影依頼者に提示してもよい。
【００６０】
以上説明した少なくとも１つの実施形態によれば、読影者が読影対象画像を読影した場合の読影結果の信頼度を予測することができる。
【００６１】
なお、上記実施形態において、「プロセッサ」という文言は、たとえば、専用または汎用のＣＰＵ（Central Processing Unit）、ＧＰＵ（Graphics Processing Unit）、または、特定用途向け集積回路（Application Specific Integrated Circuit：ＡＳＩＣ）、プログラマブル論理デバイス（たとえば、単純プログラマブル論理デバイス（Simple Programmable Logic Device：ＳＰＬＤ）、複合プログラマブル論理デバイス（Complex Programmable Logic Device：ＣＰＬＤ）、およびＦＰＧＡ）等の回路を意味するものとする。プロセッサは、記憶媒体に保存されたプログラムを読み出して実行することにより、各種機能を実現する。
【００６２】
また、上記実施形態では処理回路の単一のプロセッサが各機能を実現する場合の例について示したが、複数の独立したプロセッサを組み合わせて処理回路を構成し、各プロセッサが各機能を実現してもよい。また、プロセッサが複数設けられる場合、プログラムを記憶する記憶媒体は、プロセッサごとに個別に設けられてもよいし、１つの記憶媒体が全てのプロセッサの機能に対応するプログラムを一括して記憶してもよい。
【００６３】
なお、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６４】
１０  読影支援装置
１５  処理回路
４０  学習済みモデル
６１  読影者の読影スキル
６２  読影済み画像の属性
６３  読影済み画像の画像特徴量
７１  信頼度
８１  候補読影者の読影スキル
８２  読影対象画像の属性
８３  読影対象画像の画像特徴量
９１  信頼度の予測値
１５１  整理機能
１５２  抽出機能
１５３  取得機能
１５４  予測機能
１５５  提示機能
１５６  依頼機能
【図１】
2020190913.tif 000003
【図２】
2020190913.tif 000004
【図３】
2020190913.tif 000005
【図４】
2020190913.tif 000006
【図５】
2020190913.tif 000007
【図６】
2020190913.tif 000008
【図７】
2020190913.tif 000009
【図８】
2020190913.tif 000010